(57)【特許請求の範囲】
【請求項１】
情報記載欄と保存先指定欄と送信指定欄とが、座標情報に変換するためのドットパターンとともに印刷された情報記載用紙と、
少なくとも、筆記手段とドットパターンを読み取る光学読取手段とを有し、当該光学読取手段によって読み取った前記情報記載用紙上のドットパターンを座標情報に変換し、送信指定欄における座標情報を認識したときに、前記情報記載用紙から読み取った座標情報を記載情報として送信するデジタルペンと、
前記デジタルペンから受信した記載情報に、前記保存先指定欄がチェックされたことを示す情報がある場合には、前記記載情報を、ネットで接続され、外部からアクセス可能な情報収集サーバへ送信して記憶させ、前記デジタルペンから受信した記載情報に、前記保存先指定欄がチェックされたことを示す情報がない場合には、前記記載情報を、自機の保存手段に記憶する入力情報処理端末と
を有することを特徴とする入力情報保存システム。
【請求項２】
前記情報収集サーバは、情報の共有化が可能であることを特徴とする請求項１に記載の入力情報保存システム。
【発明の詳細な説明】
【技術分野】
【０００１】
本発明は、情報記載用紙の保存先指定欄をデジタルペンでチェックすることによって入力情報の保存先を指定する入力情報の保存システム及び保存方法に関する。
【背景技術】
【０００２】
デジタルペンとデジタルペン専用用紙を使用した配達証明システムが提供されている（例えば、特許文献１参照）。
特許文献１に記載の技術は、所定のドットパターンが印刷された用紙に記入された内容に対応する依頼人記入データであって、デジタルペンにより取得され、端末装置からネットワークを介して送信された依頼人記入データが受信された場合に、当該依頼人記入データをデータベースに登録する。次に、受取人により前記用紙に記入された内容に対応する受取人記入データであって、前記デジタルペンにより取得され、前記端末装置から前記受取人記入データが受信された場合に、当該受取人記入データに対応する前記依頼人記入データを前記データベースから抽出する。そして、前記抽出された依頼人記入データに基づいて前記配達依頼人に対する通知方法を特定し、特定された通知方法に基づいて前記配達依頼人に対し前記配達対象物が前記受取人に配達されたことを証明するための情報を通知するというものである。
【０００３】
特許文献１に記載の内容によれば、例えば、メールアドレスと関連付けられたエリアを持つ情報記載用紙にデジタルペンで情報を記載し、前記エリアをチェックすると、チェックしたエリアに関連付けられたメールアドレスにメールが送信され、エリアを複数持った用紙であれば、記入毎に送信先を指定してメールを送信することができる。
【０００４】
【特許文献１】特開２００４−２１９０２号公報
【発明の開示】
【発明が解決しようとする課題】
【０００５】
特許文献１に記載された技術は、記載されたデータは一旦サーバに送信されて保存されるが、保存期間が過ぎると削除されるために、以前に保存した記載情報を利用しようとしても読み出すことができない。
【課題を解決するための手段】
【０００６】
前記課題を解決するために、本発明の入力情報保存システムの第一の発明は、情報記載欄と保存先指定欄と送信指定欄とが、座標情報に変換するためのドットパターンとともに印刷された情報記載用紙と、少なくとも、筆記手段とドットパターンを読み取る光学読取手段とを有し、当該光学読取手段によって読み取った前記情報記載用紙上のドットパターンを座標情報に変換し、送信指定欄における座標情報を認識したときに、前記情報記載用紙から読み取った座標情報を記載情報として送信するデジタルペンと、前記デジタルペンから受信した記載情報に、前記保存先指定欄がチェックされたことを示す情報がある場合には、前記記載情報を、ネットで接続され、外部からアクセス可能な情報収集サーバへ送信して記憶させ、前記デジタルペンから受信した記載情報に、前記保存先指定欄がチェックされたことを示す情報がない場合には、前記記載情報を、自機の保存手段に記憶する入力情報処理端末とを有することを特徴とするものである。
【０００７】
また、前記情報収集サーバは、情報の共有化が可能であることを特徴とするものである。
【発明の効果】
【０００９】
本発明によれば、情報の保存先として、入力情報処理端末に保存するか、異なった場所からアクセスできる情報収集サーバに保存するかを、情報記載時点で決定することができる。また、情報収集サーバにアクセスして共有化情報として利用できるようにすることもできる。
【発明を実施するための最良の形態】
【００１０】
以下、図面を参照して本発明の入力情報保存システム及び保存方法について説明する。
図１は、本発明の入力情報保存システムを構築するための装置および媒体の一例について説明するための図，図２は、記載情報の保存先指定欄が印刷された情報記載用紙の一例について説明するための図，図３は、入力情報保存手順の一例について説明するための図，図４は、デジタルペンについて説明するための図，図５は、デジタルペン専用用紙について説明するための図，である。
以下の説明では、デジタルペンはスウェーデン国の「Ａｎｏｔｏ社」で開発されたアノトペンの例で、情報記載用紙はアノトペン専用ドットパターンが印刷された情報記載用紙の例で説明する。
【００１１】
図１を参照して、本発明の入力情報保存システムを構築するための装置および媒体の一例について説明する。
本発明の入力情報保存システムは、デジタルペンと、デジタルペン専用用紙を使用した入力情報の保存システムであって、少なくとも筆記手段と光学読取手段と記憶手段と送信手段とを有するデジタルペン１と、少なくとも入力手段と送受信手段と表示手段と入力情報を保存する保存手段とを有しデジタルペンシステム管理機能を搭載した入力情報処理端末２と、少なくとも通信手段と受信した情報を一定期間保存する保存手段とを有する情報収集サーバ４と、デジタルペンによる読取り用ドットパターンが印刷され、少なくとも記載情報の保存先指定欄が印刷された情報記載用紙５によって構築される。
本発明の入力情報保存システムは、上記装置及び媒体構成によって、記載情報の保存先を入力情報処理端末２か情報収集サーバ４の何れかに指定できるようにしたものである。
【００１２】
先ず、図４を参照して、デジタルペンについて説明する。
デジタルペン１は、インクカートリッジ１０８を伴った筆記部１０６，ドットパターンを読み取るデジタルカメラによる撮像部１０５，デジタルカメラで読み取られた筆記情報（ドットパターンの軌跡情報）を記憶する記憶部１０３，入力情報処理端末にストロークの座標情報を送信する通信部１０２，これらの機能を制御する制御部１０４，デジタルペン用の圧力センサ１０７，図示しないが電源部，で構成され、これらをデジタルペン１の筐体１０１の内部に搭載している。
デジタルペンは、デジタルペン専用用紙に印刷されたドットパターン情報を撮像部１０５で読み取って、記憶部１０３で記憶し、図示しないが、デジタルペンのユニークな識別情報などと共に通信部１０２から入力情報処理端末２に送信する。
通信部１０２は、ＵＳＢ（Ｕｎｉｖｅｒｓａｌ  Ｓｅｒｉａｌ  Ｂｕｓ）対応、または、Ｂｌｕｅｔｏｏｔｈ対応となっている。
また、デジタルペン１の筐体１０１に組み込まれた筆記部１０６は、単なる筆記具として使用することもできるようになっている。
【００１３】
筆記部１０６は、筆記情報を可視状態で記載部に残す役割の他に、デジタルカメラによる撮像部１０５とドットパターン印刷面との距離を一定にする役割を担っている。
筆記部１０６がデジタルペン筐体１０１に装着されたときに、インクカートリッジ１０８側の先端が、デジタルペン筐体１０１に取り付けられたデジタルペン用の圧力センサ１０７に接触するようになっている。
この圧力センサ１０７は、情報の記載が開始されることを制御部１０４に伝える役割と、筆圧の強弱を読み分ける役割を備えている。
そのために、本発明では利用しないが、署名の際に筆圧による特徴を把握し、署名している者が、例えば、登録されている者か否かを判定する利用分野にも対応できるようになっている。
インクカートリッジ１０８の残量を確認する場合、または、充填する場合は、例えば、筆記部１０６をデジタルペン筐体１０１の先端から引き抜いてインクの残量確認、または、インクの補充を行う。
【００１４】
図５を参照して、デジタルペン専用用紙について説明する。
デジタルペン専用用紙は、図に示すようなデジタルペン専用ドットパターンが紙面一面に印刷された紙である（図に示す縦横の仮想線は、説明し易くするために便宜上記載しているが実際には印刷されていない）。
デジタルペン専用ドットパターンの各ドットは、０．３ｍｍ間隔で形成された直角に交わる縦横の仮想線の交点近傍に、それぞれ異なる４方向の何れかに配置され、（デジタルペンの撮像部で認識可能な）有色のインキで印刷されている。
前述のＡｎｏｔｏ社のシステムでは、３６個のドット（約４ｍｍ2の内側に印刷されたドット群）を１単位情報として扱っている。
【００１５】
デジタルペンで、デジタルペン専用用紙上に文字や記号を記載すると、ペン先がどの位置をなぞっているか、その近傍に印刷されたドットパターンの座標情報をデジタルペンに内蔵された撮像部で読み取って、ペン先が移動した単位情報の軌跡をデジタルペンの記憶部に記憶するようになっている。一つのアプリケーションには、同一のドットパターンが存在しないように管理されている。
【００１６】
デジタルペンシステム管理サーバについて説明する。
図１では、デジタルペンシステム管理機能の一部または全部を独立したサーバに搭載しインターネットで接続して使用するように示しているが、これらの機能を入力情報処理端末２に内蔵させて使用したり、ユニットとして接続して使用することができる。
以下の説明では、デジタルペンシステム管理サーバを独立させ、インターネットに接続して使用する場合について説明する。
デジタルペンシステム管理サーバ３は、図示しないが、ＰＬＳサーバと、ＡＳＨサーバに分けて使用される。
デジタルペンから、入力情報処理端末を介して送信されたストロークの座標情報（デジタルペン専用用紙のドットパターンアドレス情報）は、まず、ＰＬＳ（Ｐａｐｅｒ  Ｌｏｏｋ−ｕｐ  Ｓｅｒｖｉｃｅ）と呼ばれるデジタルペンシステム管理サーバに送信される。
ＰＬＳサーバは、受信したストロークの座標情報から、使用されているアプリケーションを割り出して、そのアプリケーション支援を行うＡＳＨ（Ａｐｐｌｉｃａｔｉｏｎ  Ｓｅｒｖｉｃｅ  Ｈａｎｄｌｅｒ）サーバのＵＲＬ（Ｕｎｉｆｏｒｍ  Ｒｅｓｏｕｒｃｅ  Ｌｏｃａｔｏｒ）とストロークの座標情報を入力情報処理端末２に送信する。
入力情報処理端末２が受信したＡＳＨサーバのＵＲＬとストロークの座標情報は即座にデジタルペン１に送信される。
【００１７】
前述のように、デジタルペンシステム管理機能の一部または全部を入力情報処理端末２に内蔵させて使用したり、ユニットとして接続して使用することができるが、多くの場合、ＰＬＳ機能を独立させ、ＡＳＨ機能を内蔵して使用する。
小規模システムでは、ＰＬＳ機能，ＡＳＨ機能を両方内蔵して使用する。
【００１８】
入力情報処理端末について説明する。
入力情報処理端末２は、例えば、キーボードなどの入力手段，インターネットに接続されて入力情報を送受信する送受信手段，ディスプレイなどの表示手段，入力情報や読み込んだ情報を保存する保存手段とを有するパーソナルコンピュータのような装置である。
入力情報処理端末２は、端末自体に通信手段を有しなくても携帯電話などに接続して通信を代行させることもできる。
入力情報処理端末２は、デジタルペン１から送信されたストロークの座標情報による記載情報，デジタルペン識別情報などをＵＳＢや、Ｂｌｕｅｔｏｏｔｈ対応のインターフェイスで受信する。
入力情報処理端末２は、デジタルペンに有線または無線で接続され、一台で複数のデジタルペンを制御することもできる。
入力情報処理端末２は、ＰＬＳサーバから受信した座標データによる記載情報をＡＳＨサーバのＵＲＬに送信する。
ＡＳＨサーバは、入力情報処理端末２から受信したストロークの座標情報をアプリケーションプログラムによって編集し、テキストデータ等に変換して入力情報処理端末２に送り返す。
【００１９】
入力情報処理端末２は、テキストデータ等に変換された記載情報に「共有」コードが貼付されていたらネットを介して接続された情報収集サーバ４に送信する。
記載情報に「共有」コードが貼付されていなければ、入力情報処理端末２の記憶部に保管する。
情報収集サーバ４は、「共有」コードが貼付された記載情報を、情報収集サーバ４の記憶部に保管する。
【００２０】
図２を参照して、記載情報の保存先指定欄が印刷された情報記載用紙の一例について説明する。
情報記載用紙５には、情報記載面全面にわたって、図５で説明したデジタルペン読み取り用の専用ドットが印刷されている。
図に示す例では、情報記載用紙の右上に、記載情報の保存先を指定するためのチェックマークを記載する保存先指定欄５１，記載情報を送信するためのチェックマークを記載する送信指定欄５２が印刷されている。
情報記載欄５３に入力情報を記載した後、記載情報が「共有」にされるべき情報の場合は、先ず「共有」欄にチェックマークを記載し、さらに「送信」欄にチェックマークを記載する。
記載された情報は、入力情報処理端末２から、ネットを経由して情報収集サーバ４に送信され、情報収集サーバ４の記憶部に保管される。
情報記載欄５３に入力情報を記載した後、記載情報が入力情報処理端末２に保管されるべき情報の場合は、「共有」欄にチェックマークを記載せずに「送信」欄にチェックマークを記載する。
記載情報を「共有」にし、且つ、手元に残したい場合は、先ず「共有」欄と「送信」欄にチェックマークを記載して、情報収集サーバ４に送信した後、もう一度、「送信」欄にチェックマークを記載する。
記載された情報は、入力情報処理端末２と情報収集サーバ４の記憶部に保管される。
【００２１】
本実施の形態の例では、記載情報は情報入力端末である入力情報処理端末２と情報収集サーバ４に送信されることになっているが、チェックマーク記載欄を増やすことによって前記二つの装置以外に、自由に指定して送信することができる。
【００２２】
図３を参照して、入力情報保存手順の一例について説明する。
先ず、デジタルペン１で、情報記載用紙に情報を記載する（ステップ１：Ｓ１）。
記載情報の保存先を指定するために保存先を指定するチェックマークを記載する（Ｓ２）。
記載情報を先ず、入力情報処理端末２に送信する（Ｓ３）。
入力情報処理端末２は、Ｓ３で送信された情報をデジタルペンシステム管理サーバ３に送信し、デジタルペンシステム管理サーバの項で説明したように、テキストデータに変換する。
入力情報処理端末２は、デジタルペンシステム管理サーバ３からテキストデータに変換された記載情報を受信する。
入力情報処理端末２は、受信したデータが「共有」指定情報か否か判別する。
受信した記載情報が「共有」指定情報でなかった場合は、記載情報を入力情報処理端末２の記憶部（ＤＢ）に保管する（Ｓ４）。
【００２３】
入力情報処理端末２は、デジタルペンシステム管理サーバから受信したデータが「共有」指定情報であった場合は、記載情報を情報収集サーバ４に送信する（Ｓ５）。
情報収集サーバ４は、記載情報を受信し（Ｓ６）、情報収集サーバ４の記憶部（ＤＢ）に保存する（Ｓ７）。
【産業上の利用可能性】
【００２４】
デジタルペンを利用した入力業務分野全般に利用できる。
【図面の簡単な説明】
【００２５】
【図１】本発明の入力情報保存システムを構築するための装置および媒体の一例について説明するための図である。
【図２】記載情報の保存先指定欄が印刷された情報記載用紙の一例について説明するための図である。
【図３】入力情報保存手順の一例について説明するための図である。
【図４】デジタルペンについて説明するための図である。
【図５】デジタルペン専用用紙について説明するための図である。
【符号の説明】
【００２６】
１      デジタルペン
２      入力情報処理端末
３      デジタルペンシステム管理サーバ
４      情報収集サーバ
５      情報記載用紙
５１    記載情報の保存先指定欄
５２    送信指定欄
５３    情報記載欄
１０１  筐体
１０２  通信部
１０３  記憶部
１０４  制御部
１０５  撮像部
１０６  筆記部
１０７  圧力センサ
１０８  インクカートリッジ
【図１】
0004774993.tif 000002
【図２】
0004774993.tif 000003
【図３】
0004774993.tif 000004
【図４】
0004774993.tif 000005
【図５】
0004774993.tif 000006